(57)【要約】【課題】  オペレータの負担を軽減し、利便性を向上させる、プリント装置を提供する。【解決手段】  プリント装置１０では、供給マガジン１２から供給される長尺の印画紙Ｓに露光処理部１４で画像露光を行い、画像露光済みの印画紙Ｓを巻き取りマガジン１６に巻き取る。巻き取りマガジン１６を露光処理部１４から取り外した後であっても、オーダー画面２００のテキストボックス２１６ｃおよびテキストボックス２１８には、取り外された巻き取りマガジン１６の印画紙Ｓの巻き取り量を示すテキストが表示され続ける。【選択図】      図８
2005194018.tif 000002
【特許請求の範囲】
【請求項１】
感光材料に画像を形成する画像形成部、
前記画像が形成された前記感光材料を巻き取って収納するために前記画像形成部に取り付けられる巻き取り部、
前記巻き取り部が巻き取る前記感光材料の長さに関する情報を取得する制御手段、
前記制御手段が取得した前記情報を前記画像形成部から前記巻き取り部が取り外された後も保持する記憶手段、および
前記記憶手段が保持する前記情報を表示する表示部を備える、プリント装置。
【請求項２】
前記画像形成部に前記巻き取り部が取り付けられることで前記制御手段は前記情報の取得を新規に開始し、前記表示部は前記記憶手段に保持される最新の前記情報を表示する、請求項１に記載のプリント装置。
【発明の詳細な説明】
【技術分野】
【０００１】
この発明はプリント装置に関し、より特定的には、画像が形成された長尺の感光材料を巻き取り部で巻き取って収納するプリント装置に関する。
【背景技術】
【０００２】
大量のプリントを作製する大規模な現像所等では、長尺の感光材料への画像形成と、その後の現像処理、切断および仕分け等とを、別々の装置で行う分離型プリントシステムが用いられる。
【０００３】
このようなプリントシステムに用いられるプリント装置としては、供給マガジンから供給される長尺の感光材料に露光処理部で連続的に画像形成し、画像形成済みの感光材料を巻き取りマガジンに巻き取る、いわゆるロール・ツー・ロール型のプリント装置が知られている。
【０００４】
この種のプリント装置では、巻き取りマガジンに巻き取られる感光材料の長さ（巻き取りマガジンの巻き取り量）を表示部に表示する。これによって、オペレータは、プリント処理後に別装置で行う現像処理に要する作業時間を推測でき、現像処理中にその作業時間に合わせて別の作業を行うことができる。
【発明の開示】
【発明が解決しようとする課題】
【０００５】
しかし、従来技術のプリント装置では、感光材料を巻き取った巻き取りマガジンを画像形成部から取り外すと当該巻き取りマガジンの巻き取り量が表示部に表示されなくなるために、オペレータは巻き取りマガジンの取り外し前に意識して巻き取り量を確認しておく必要があり、これを怠るとその後の現像処理に要する作業時間を推測できなくなり、ひいては現像処理中に行うべき別の作業の目処が立たなくなり、不便であった。
【０００６】
それゆえに、この発明の主たる目的は、オペレータの負担を軽減し、利便性を向上させるプリント装置を提供することである。
【課題を解決するための手段】
【０００７】
上述の目的を達成するために、請求項１に記載のプリント装置は、感光材料に画像を形成する画像形成部、画像が形成された感光材料を巻き取って収納するために画像形成部に取り付けられる巻き取り部、巻き取り部が巻き取る感光材料の長さに関する情報を取得する制御手段、制御手段が取得した情報を画像形成部から巻き取り部が取り外された後も保持する記憶手段、および記憶手段が保持する情報を表示する表示部を備える。
【０００８】
請求項２に記載のプリント装置は、請求項１に記載のプリント装置において、画像形成部に巻き取り部が取り付けられることで制御手段は情報の取得を新規に開始し、表示部は記憶手段に保持される最新の情報を表示することを特徴とする。
【０００９】
請求項１に記載のプリント装置では、巻き取り部が巻き取る感光材料の長さに関する情報を制御手段が取得し、この情報が画像形成部から巻き取り部を取り外した後も記憶手段に保持され、表示部に表示される。したがって、巻き取り部の取り外し前に意識して巻き取り量を確認する必要がなく、巻き取り部の取り外し後であっても巻き取り部の巻き取り量を確認できひいては現像処理に要する作業時間を推測することができ、オペレータの負担を軽減し、利便性を向上できる。
【００１０】
一般に、オペレータの作業手順として、画像形成部から取り外した巻き取り部をまず現像処理の作業場所に運び、画像形成済み感光材料への現像処理を開始する。その後、たとえば、感光材料を収納していない巻き取り部をプリント装置の画像形成部に取り付け、新たなオーダー分のプリント処理を開始する。請求項２に記載のプリント装置では、画像形成部に巻き取り部が取り付けられることで制御手段は巻き取り部が巻き取る感光材料の長さに関する情報の取得を新規に開始し、表示部は記憶手段に保持される最新の情報を表示する。したがって、画像形成部に巻き取り部を取り付けるだけで、オペレータの操作を別途必要とせずに、巻き取り量の表示を自動的にリセットでき、取り付けられた巻き取り部について巻き取り量の表示を開始することができる。
【発明の効果】
【００１１】
この発明によれば、オペレータの負担を軽減し、利便性を向上できる。
【発明を実施するための最良の形態】
【００１２】
以下、図面を参照して、この発明の実施の形態について説明する。
図１から図３を参照して、この発明の一実施形態のプリント装置１０は、大量のプリントを作製する大規模な現像所等に好適に用いられるプリント装置であり、印画紙Ｓへの画像形成と、その後の現像処理、切断および仕分け等とを、別々の装置で行う分離型プリントシステムに用いられるプリント装置である。
【００１３】
プリント装置１０は、供給するための感光材料である印画紙Ｓをロール状に巻き取り収納する供給マガジン１２、印画紙Ｓに画像露光（焼き付け）し画像（潜像）を形成する露光処理部１４、露光処理された印画紙Ｓを再びロール状に巻き取り収納する巻き取りマガジン１６、プリント装置１０の動作を制御するための制御部１８、オペレータがデータ入力や指示を行うためのキーボードやマウス等の入力部２０、およびオペレータがプリント装置１０を操作しやすいようにＧＵＩ(Graphical User Interface)等を表示するためのモニター等の表示部２２を含む。
【００１４】
供給マガジン１２および巻き取りマガジン１６は、露光処理部１４に脱着可能に構成され、供給マガジン１２および巻き取りマガジン１６にはＩＤを記録するための図示しない記憶手段がそれぞれ設けられる。供給マガジンＩＤおよび巻き取りマガジンＩＤを露光処理部１４に設けられる図示しない読み取り手段が読み取り、制御部１８に伝達することによって、制御部１８は供給マガジン１２および巻き取りマガジン１６を認識し識別することができる。
【００１５】
図３に示すように、露光処理部１４は、供給マガジン１２に収納されたロール状の印画紙Ｓを引き出すための供給部２４を含む。供給部２４によって引き出された長尺の印画紙Ｓの搬送経路上かつ供給部２４の下流側には、印画紙Ｓの終端を検出するためのペーパーエンドセンサ２６、印画紙Ｓの継ぎ目を検出するためのスプライスセンサ２８、印画紙Ｓをマニュアルカットあるいは強制カットするとき等に用いるペーパーカッタ３０、印画紙Ｓの方向を変えるガイドローラ３２、およびループ形成部３４が配置される。
【００１６】
供給部２４内のローラはモータ３６によって駆動され、ペーパーカッタ３０およびガイドローラ３２は、それぞれモータ３８および４０によって駆動される。
【００１７】
ループ形成部３４によって印画紙Ｓにかかるテンション等が吸収される。また、ループ形成部３４による印画紙Ｓのループの程度を検出するために、センサ４２〜４８が設けられる。
後述するループ形成部６０および８０についても同様である。
【００１８】
ループ形成部３４の両側には印画紙Ｓの位置を検出するためのペーパーセンサ５０および５２が配置され、紙詰まりの有無や印画紙Ｓの位置等を判断するために用いられる。後述するペーパーセンサ５８，７８および８４についても同様である。
【００１９】
印画紙Ｓの搬送経路上にはさらに、印画紙Ｓの方向を変えるガイドローラ５４、印画紙Ｓにマークとしてのポンチ孔を形成するためのポンチ５６、ペーパーセンサ５８、ループ形成部６０、および露光処理等のためにマークを検出するためのマークセンサ６２が配置される。
【００２０】
マークセンサ６２によって、たとえば図４に示すような印画紙Ｓに形成されたポンチ孔からなるカットマークＨ１やオーダーマークＨ２が検出される。カットマークＨ１は画像（コマ）毎に形成され、オーダーマークＨ２はオーダー毎に形成される。ループ形成部６０近傍には印画紙Ｓのループを検出するためのセンサ６４および６６が配置される。
ガイドローラ５４はモータ６８によって駆動され、ループ形成部６０の一方のローラ対６０ａおよび他方のローラ対６０ｂはそれぞれモータ７０および７２によって駆動される。
【００２１】
マークセンサ６２の下流側には、搬送ローラ対７４および７６が配置され、さらにペーパーセンサ７８、ループ形成部８０、搬送ローラ対８２、およびペーパーセンサ８４が配置される。搬送ローラ対７４と７６との間で露光ユニット８６によって長尺の印画紙Ｓが走査露光され、連続的に複数の画像が潜像として形成される。ループ形成部８０近傍には、印画紙Ｓのループを検出するためのセンサ８８および９０が配置される。
【００２２】
搬送ローラ対７４および７６はモータ９２によって駆動され、搬送ローラ対７４を構成する圧着ローラ７４ａの圧着・圧着解除動作はモータ９４によって行われ、搬送ローラ対７６を構成する圧着ローラ７６ａの圧着・圧着解除動作はモータ９６によって行われ、搬送ローラ対８２はモータ９８によって駆動される。
【００２３】
このような露光処理部１４によって処理された印画紙Ｓが未現像のまま巻き取りマガジン１６において巻き取られロール状に収納される。その後の処理としては、たとえば、印画紙Ｓは人手により図示しない別の処理装置に装填されて、現像処理、切断および仕分けが行われ、仕上がりプリントが作製される。
【００２４】
図１に戻って、供給マガジン１２、露光処理部１４、巻き取りマガジン１６、入力部２０および表示部２２等は、制御部１８によって制御される。
制御部１８は、バス１００で相互に接続されたＣＰＵ１０２、ＲＯＭ１０４、ＲＡＭ１０６、ハードディスクドライブ（ＨＤＤ：ハードディスクを含む）１０８を備える。
【００２５】
ＣＰＵ１０２は、ＲＯＭ１０４やＨＤＤ１０８等に記憶された各種のプログラムを実行し、プリント装置１０内の各構成要素に指示を与え、プリント装置１０の動作を制御する。また、ＣＰＵ１０２は、プリント装置１０の動作状況から巻き取りマガジン１６の印画紙Ｓの巻き取り量情報を算出し、当該巻き取り量情報を巻き取りマガジンＩＤと関連付けてＲＡＭ１０６に保持する。
【００２６】
なお、ＣＰＵ１０２は、露光処理部１４から巻き取りマガジン１６が取り外されることによって巻き取り量情報の更新を停止し、露光処理部１４に巻き取りマガジン１６が取り付けられることによって新規に巻き取り量情報の取得を開始する。したがって、ＲＡＭ１０６には、巻き取りマガジン１６の取り付け回数分の巻き取り量情報が保持される。
【００２７】
ＲＯＭ１０４は、起動用プログラム等を記憶している。起動用プログラムは、プリント装置１０の電源投入時にＣＰＵ１０２によって実行される。これによって、ＨＤＤ１０８に記録されているオペレーティングシステム（ＯＳ）等のプログラムがＲＡＭ１０６にロードされ、各種の処理や制御が実行可能となる。
【００２８】
ＲＡＭ１０６には、プリント装置１０を制御するプログラムが展開され、このプログラムによる処理結果、処理のための一時データ、表示部２２の画面上にＧＵＩ等を表示するための表示用データ（テキストデータ、画像データ等）等を保持し、ＣＰＵ１０２の作業領域として使用される。ＲＡＭ１０６上に展開された表示用データは、表示部２２に伝達され、表示部２２は、その画面上に表示用データに対応する表示内容（テキスト、画像等）を表示し、たとえば図５や図６に示すようなＧＵＩの画面を表示する。また、ＲＡＭ１０６には、巻き取り量情報の他にも、各オーダーにマニュアルカットが予約されている（マニュアルカットアイコン２２０が付されている）か否かの情報等も保持される。
【００２９】
ＨＤＤ１０８は、ＣＰＵ１０２の指示に従って、プログラム、制御用データ、テキストデータ、画像データ等を、ハードディスクに対して記録しまた読み出すためのデバイスである。
【００３０】
この実施形態では、ＨＤＤ１０８内のハードディスクに、図７に示す動作を行うためのプログラムが格納されるとともに、印画紙Ｓに形成すべき画像の画像データが記憶され、オペレータに知らせるべきメッセージのテキストデータが記憶される。当該プログラムおよびデータをＣＰＵ１０２が読み出して実行することにより、処理が実行される。
【００３１】
ＨＤＤ１０８に記憶される画像データにはオーダー単位毎のＩＤが付与されており、このＩＤがオーダー情報２０２の先頭部の受付ナンバー（図５参照：ここでは「１」および「２」が付されている）に対応する。
【００３２】
なお、「オーダー単位」は任意に決定でき、たとえば、一集配所単位や一消費者単位であってもよく、また、学校からの注文のときは生徒単位であってもよい。
【００３３】
ＣＤ−ＲＯＭドライブ１１０は、ＣＰＵ１０２の指示に従って、ＣＤ−ＲＯＭ１１２に記録されているプログラムやデータを読み取る。
【００３４】
また、このような制御部１８にはスキャナ１１４が接続される。スキャナ１１４は印画紙Ｓに形成すべき画像を読み取り画像データとし、その画像データはＨＤＤ１０８に記憶される。また、制御部１８には通信制御部１１６が接続される。通信制御部１１６は、たとえばインターネット等のネットワーク１１８に接続され、ＣＰＵ１０２の指示に従ってネットワーク１１８経由で他の装置から画像データを受け付け取り込むことができ、また、他の装置とのデータの送受信、あるいはプログラムやデータのアップロードまたはダウンロードのために用いられる。
【００３５】
ここで、図５を参照して、ＧＵＩの一例であるオーダー画面２００について説明する。
オーダー画面２００は、表示部２２の画面上に表示され、プリント装置１０の処理状況をオペレータに知らせ、プリント装置１０の設定や操作を行うために用いられる。
【００３６】
オーダー画面２００にはオーダー情報２０２の他、テキストボックス２０４、スタート／ストップボタン２０６、予約／解除ボタン２０８、強制ボタン２１０、供給マガジン情報２１２、テキストボックス２１４、巻き取りマガジン情報２１６、およびテキストボックス２１８等が表示される。
【００３７】
テキストボックス２０４は、プリント装置１０の処理状況を表示するためのもので、たとえば、印画紙Ｓの切断処理中であれば「ペーパーカット動作中」のメッセージが表示され、プリント装置１０が待機中であれば「スタンバイ」のメッセージが表示される。図５では「ペーパーカット動作中」のメッセージが表示されている。
【００３８】
スタート／ストップボタン２０６は、プリント装置１０による印画紙Ｓへの処理を開始あるいは停止するために用いられ、スタートボタンとストップボタンとを切り替えて表示するものであり、以下、状況に応じてスタートボタン２０６またはストップボタン２０６という。プリント装置１０が印画紙Ｓへの処理を実行中であれば、スタート／ストップボタン２０６はストップボタンとなり、プリント装置１０が待機状態であれば、スタート／ストップボタン２０６はスタートボタンとなる。図５ではストップボタンが示されている。
【００３９】
入力部２０を用いてスタートボタン２０６を押すことでプリント装置１０は印画紙Ｓへの処理を開始し、ストップボタン２０６を押すことでプリント装置１０は待機状態となる。
【００４０】
予約／解除ボタン２０８は、マニュアルカットの設定を行うために用いられ、予約ボタンと解除ボタンとを切り替えて表示するものである。オーダー情報２０２に表示されているオーダーのうち、マニュアルカットアイコン２２０が付されているオーダー（ここでは受付ナンバー「２」）を選択した場合には、予約／解除ボタン２０８は解除ボタンとなり、一方、マニュアルカットアイコン２２０が付されていないオーダーを選択した場合には予約／解除ボタン２０８は予約ボタンとなる。図５では予約ボタンが示されている。
【００４１】
なお、「マニュアルカット」とは、指定したオーダーの画像露光終了をプリント装置１０が自動的に検知し、その後印画紙Ｓを切断することをいう。これによって印画紙Ｓのオーダー単位の切断が可能となる。
【００４２】
入力部２０を用いて予約／解除ボタン２０８を押すことでマニュアルカットを行うか否かをオーダー単位で設定（予約）することができる。マニュアルカットが予約されている場合には、オーダー情報２０２の先頭部にマニュアルカットアイコン２２０が表示され、このマークのついたオーダーの画像露光終了後に、印画紙Ｓが切断される。
【００４３】
強制ボタン２１０は、強制カットを行うために用いられる。
なお、「強制カット」とは、オペレータの指示に基づいて印画紙Ｓを強制的に切断することをいう。これによって、たとえば誤ったオーダーのプリントを開始してしまった場合、オーダーの画像露光の途中であっても直ちに印画紙Ｓを切断し、巻き取りマガジン１６に巻き取ることができる。
入力部２０を用いて強制ボタン２１０を押すことで強制カットが行われる。
【００４４】
供給マガジン情報２１２は、テキストボックス２１２ａ，２１２ｂ，２１２ｃを含む。テキストボックス２１２ａ，２１２ｂ，２１２ｃには、供給マガジン１２内の印画紙Ｓの種類、露光処理部１４に取り付けられる供給マガジン１２の供給マガジンＩＤ、供給マガジン１２内の印画紙Ｓの残量を示すテキストがそれぞれ表示される。図５ではテキストボックス２１２ａ，２１２ｂ，２１２ｃに「１２７」、「（１）」、「７１」というテキストがそれぞれ表示されている。
【００４５】
テキストボックス２１４には、供給マガジン情報２１２のテキストボックス２１２ｃと同様に供給マガジン１２内の印画紙Ｓの残量を示すテキストが表示される。
【００４６】
巻き取りマガジン情報２１６は、テキストボックス２１６ａ，２１６ｂ，２１６ｃを含む。テキストボックス２１６ａ，２１６ｂ，２１６ｃには、巻き取りマガジン１６が巻き取る印画紙Ｓの種類、露光処理部１４に取り付けられている巻き取りマガジン１６の巻き取りマガジンＩＤ、巻き取りマガジン１６の巻き取り量を示すテキストがそれぞれ表示される。図５ではテキストボックス２１６ａ，２１６ｂ，２１６ｃに「１２７」、「（１）」、「６」というテキストがそれぞれ表示されている。
【００４７】
なお、供給マガジン１２から供給される印画紙Ｓを巻き取りマガジン１６に巻き取るので、テキストボックス２１２ａとテキストボックス２１６ａとの表示内容が等しくなることは言うまでもない。
【００４８】
テキストボックス２１８には、巻き取りマガジン情報２１６のテキストボックス２１６ｃと同様に巻き取りマガジン１６の巻き取り量を示すテキストが表示される。  
【００４９】
供給マガジン情報２１２および巻き取りマガジン情報２１６の各テキストボックスは、適宜変更あるいは更新される。
【００５０】
具体的には、供給マガジン１２から供給する印画紙Ｓの種類を変更することでテキストボックス２１２ａおよびテキストボックス２１６ａに表示されるテキストがそれぞれ変更される。供給マガジン１２を交換することでテキストボックス２１２ｂに表示されるテキストが変更され、巻き取りマガジン１６を交換することでテキストボックス２１６ｂに表示されるテキストが変更される。
【００５１】
また、露光処理部１４内で印画紙Ｓを搬送するのに伴って、テキストボックス２１２ｃおよびテキストボックス２１６ｃに表示される巻き取りマガジン１６の巻き取り量を示すテキストがそれぞれ更新される。テキストボックス２１４およびテキストボックス２１８についても同様である。
【００５２】
さらに、図６を参照して、ＧＵＩのエラー／お知らせ画面３００について説明する。
エラー／お知らせ画面３００は、ＣＰＵ１０２の指示に従って表示部２２の画面上に適宜表示され、オペレータにプリント装置１０の処理の結果等を知らせ、必要であれば判断を要求するために用いられる。
【００５３】
エラー／お知らせ画面３００には、テキストボックス３０２、および確認ボタン３０４等が表示される。
【００５４】
テキストボックス３０２には、ＨＤＤ１０８から読み出される所定のテキストデータがメッセージとして表示される。図６では「巻き取りを完了しました  巻き取りマガジンを交換してください」というメッセージが表示されている。
【００５５】
確認ボタン３０４は、エラー／お知らせ画面３００を表示部２２の画面上から消すために用いられる。入力部２０を用いて確認ボタン３０４を押すことでエラー／お知らせ画面３００が表示部２２の画面上に表示されなくなる。
【００５６】
なお、テキストボックス３０２に、たとえば「オーダーを削除します  よろしいですか？」等のオペレータに判断を要求するメッセージが表示される場合、エラー／お知らせ画面３００には確認ボタン３０４に替えて「はい」ボタンおよび「いいえ」ボタン等の可否を選択するための２つのボタンが表示される。
【００５７】
ついで、図７を参照して、プリント装置１０の主要動作について説明する。
まず、オペレータの指示に基づいて、たとえばネットワーク１１８から印画紙Ｓに形成すべき画像が取り込まれ、表示部２２の画面上にオーダー画面２００が表示され、オーダー情報２０２にオーダー単位毎の情報が表示される（ステップＳ１）。つづいて、オーダー画面２００のスタートボタン２０６が押されることによって印画紙Ｓへの画像露光が行われる（ステップＳ３）。
【００５８】
ステップＳ３では、供給マガジン１２から供給される印画紙Ｓを露光処理部１４内で搬送し、露光ユニット８６が印画紙Ｓに画像データに基づく画像を走査露光し、画像露光済みの印画紙Ｓを巻き取りマガジン１６に巻き取る。そして、たとえば所定のオーダー分の画像露光が終了すると、ＣＰＵ１０２の指示に従って露光処理部１４内の各ローラーが停止し（印画紙Ｓの搬送を停止し）、ペーパーカッタ３０が印画紙Ｓを切断する（ステップＳ５）。
【００５９】
このとき、表示部２２に表示されるオーダー画面２００は、図５に示すような表示態様となる。 詳しくは、図５に示すオーダー画面２００では、受け付けナンバー「２」のオーダーにマニュアルカットアイコン２２０が付されており（マニュアルカットが予約されており）、受付ナンバー「１」および「２」のオーダー分の画像露光が終了し、マニュアルカットを実行している際の表示態様が示されている。
【００６０】
印画紙Ｓの切断後、ＣＰＵ１０２の指示に従って露光処理部１４内の各ローラが再び駆動し、切断した画像露光済みの印画紙Ｓを巻き取りマガジン１６に巻き取る。印画紙Ｓの巻き取りが完了すると（ステップＳ７）、表示部２２の画面上に図６に示すエラー／お知らせ画面３００が表示され（ステップＳ９）、オペレータに巻き取りマガジン１６の交換を促す。
【００６１】
なお、オーダー画面２００とエラー／お知らせ画面３００とは表示部２２の画面上に重ねて表示される。
【００６２】
また、巻き取りマガジン１６への印画紙Ｓの巻き取りが完了すると、画像露光が終了したオーダー（図５では受け付けナンバー「１」、「２」のオーダー）はオーダー情報２０２に表示されなくなる（図８参照）。
【００６３】
つづいて、オペレータによって露光処理部１４から巻き取りマガジン１６が取り外される（ステップＳ１１）。巻き取りマガジン１６が取り外されることによって、図８に示すように、巻き取りマガジン情報のテキストボックス２１６ａ，２１６ｂの表示内容は「‐」にそれぞれ変更されるが、ＲＡＭ１０６に保持される巻き取りマガジン１６の巻き取り量データに基づくテキスト（ここでは「７０」）がテキストボックス２１６ｃおよびテキストボックス２１８に表示され続ける。
【００６４】
その後、エラー／お知らせ画面３００の確認ボタン３０４が押された場合（ステップＳ１３がＹｅｓ）、エラー／お知らせ画面３００は表示部２２の画面上から消去され（ステップＳ１５）、テキストボックス２１６ｃおよびテキストボックス２１８に表示される巻き取り量を示すテキストがクリアされる（ステップＳ１７）。具体的には、図９に示すように、テキストボックス２１６ｃおよびテキストボックス２１８の巻き取り量を示すテキストが「‐」に変更される。また、図９では露光処理部１４において露光ユニット８６が調整されている際のオーダー画面２００の表示態様を示し、テキストボックス２０４には「レーザー温度調整中」のメッセージが表示されている。
【００６５】
また、エラー／お知らせ画面３００の確認ボタン３０４が押されなくとも（ステップＳ１３がＮｏ）、巻き取りマガジン１６が露光処理部１４に取り付けられる（ステップＳ１９）ことによって、エラー／お知らせ画面３００は表示部２２の画面上から消去され（ステップＳ２１）、テキストボックス２１６ｃおよびテキストボックス２１８に表示される巻き取り量を示すテキストがリセットされる（ステップＳ２３）。具体的には、図１０に示すように、テキストボックス２１６ｃおよびテキストボックス２１８の巻き取り量を示すテキストが「０」に変更される。また、図１０では巻き取りマガジンＩＤが「（２）」の巻き取りマガジン１６が露光処理部１４に取り付けられた場合について示し、これに対応してテキストボックス２１６ｂの表示内容も「（２）」に変更されている。
【００６６】
また、確認ボタンを押した場合も巻き取りマガジン１６を取り付けることで（ステップＳ２５）、テキストボックス２１６ｃおよびテキストボックス２１８に表示される巻き取り量を示すテキストがリセットされる。
【００６７】
このようなプリント装置１０によれば、巻き取りマガジン１６の取り外し前に意識して巻き取り量を確認する必要がなく、巻き取りマガジン１６を取り外した後であっても、テキストボックス２１６ｃおよびテキストボックス２１８において巻き取り量を確認でき、ひいては現像処理に要する作業時間を推測することができ、オペレータの負担を軽減し、利便性を向上できる。
【００６８】
また、巻き取りマガジン１６の取り付け後に、オペレータの操作を別途必要とすることなく、自動的にテキストボックス２１６ｃおよびテキストボックス２１８に表示される巻き取りマガジン１６の巻き取り量を示すテキストをリセットし、取り付けられた巻き取りマガジン１６について巻き取り量の表示を開始することができる。
【００６９】
なお、たとえば、オーダー画面２００に巻き取り量の履歴を表示するためのテキストボックスを設け、ＲＡＭ１０６に保持される巻き取り量情報に基づき、直前に取り外された巻き取りマガジン１６およびそれから数えて過去数個分（たとえば２つ）の巻き取りマガジン１６のそれぞれの巻き取り量を当該テキストボックスに表示しておくようにしてもよい。
【００７０】
また、オーダー画面２００に履歴ボタンを設け、入力部２０を用いて履歴ボタンを押すことによって、ＲＡＭ１０６に保持される巻き取り量情報に基づくテキストを一覧形式で表示部２２の画面上に表示するようにしてもよい。
【００７１】
また、この発明において用いられる感光材料としては印画紙に限定されず、布やプラスチックフィルム等であってもよい。
【図面の簡単な説明】
【００７２】
【図１】この発明が適用されるプリント装置の一例を示すブロック図である。
【図２】図１に示すプリント装置の外観図である。
【図３】図１に示すプリント装置の概略を示す図解図である。
【図４】印画紙Ｓに形成されるポンチ孔の一例を示す図解図である。
【図５】表示部に表示されるＧＵＩの一例を示す図解図である。
【図６】表示部に表示されるＧＵＩのその他の例を示す図解図である。
【図７】図１に示すプリント装置の動作の一例を示すフロー図である。
【図８】図５に示すＧＵＩの画面の表示態様の一例を示す図解図である。
【図９】図５に示すＧＵＩの画面の表示態様の一例を示す図解図である。
【図１０】図５に示すＧＵＩの画面の表示態様の一例を示す図解図である。
【符号の説明】
【００７３】
１０      プリント装置
１２      供給マガジン
１４      露光処理部
１６      巻き取りマガジン
１８      制御部
２０      入力部
２２      表示部
１０２      ＣＰＵ
１０６      ＲＡＭ
【図１】
2005194018.tif 000003
【図２】
2005194018.tif 000004
【図３】
2005194018.tif 000005
【図４】
2005194018.tif 000006
【図５】
2005194018.tif 000007
【図６】
2005194018.tif 000008
【図７】
2005194018.tif 000009
【図８】
2005194018.tif 000010
【図９】
2005194018.tif 000011
【図１０】
2005194018.tif 000012